(57)【要約】【課題】レンズを保持するレンズ保持枠と、このレンズ保持枠を保持する枠部材との間の偏芯調整を簡単な構成で確実かつ高精度に行い得るレンズ鏡筒を提供する。【解決手段】レンズの芯調整可能なレンズ鏡筒１において、芯調整されるレンズ１３と、外周面を有しレンズを保持する第１の保持枠２３と、外周面と対向する対向面を有し第１の保持枠を光軸Ｏと直交する方向に変位可能に保持する第２の保持枠２５と、第１の保持枠を第２の保持枠に対し光軸と直交する方向に変位させたときにその変位位置に第１の保持枠を維持させるため外周面と対向面との間に脱着可能に配置される調整部材５６と、第２の保持枠に装着され第２の保持枠に第１の保持枠を光軸方向に押圧し変位位置を維持する第１の押圧部材５２と、光軸と直交する方向に第１の保持枠を対向面側に押圧する第２の押圧部材５１とを具備する。【選択図】図３
2015102598.tif 000002
【特許請求の範囲】
【請求項１】
レンズの芯調整可能なレンズ鏡筒において、
芯調整されるレンズと、
外周面を有し上記レンズを保持する第１の保持枠と、
上記外周面と対向する対向面を有し、上記第１の保持枠を光軸と直交する方向に変位可能に保持する第２の保持枠と、
上記第１の保持枠を上記第２の保持枠に対し光軸と直交する方向に変位させたときに、その変位位置に上記第１の保持枠を維持させるため上記外周面と上記対向面との間に脱着可能に配置される調整部材と、
上記第２の保持枠に装着され、上記第２の保持枠に上記第１の保持枠を光軸方向に押圧し、上記変位位置を維持する第１の押圧部材と、
光軸と直交する方向に上記第１の保持枠を上記対向面側に押圧する第２の押圧部材と、
を具備するレンズ鏡筒。
【請求項２】
一対の上記調整部材を有し、
一方の調整部材に対し他方の調整部材は光軸と直交する方向において、上記一方の調整部材と光軸中心とを結ぶ直線に対し交差する直線上に配置されていることを特徴とした上記請求項１記載のレンズ鏡筒。
【請求項３】
上記調整部材は、上記第１の押圧部材が上記第２の保持枠に装着された後でも上記脱着可能であることを特徴とした上記請求項１または上記請求項２のいずれか一方に記載のレンズ鏡筒。
【発明の詳細な説明】
【技術分野】
【０００１】
この発明は、レンズ群等を保持する複数の枠部材等を有し、レンズの芯調整可能な機構を有するレンズ鏡筒に関するものである。
【背景技術】
【０００２】
従来、カメラ等の撮影装置に適用されるレンズ鏡筒は、複数の枠部材等によって構成されている。これら複数の枠部材等としては、例えば撮影光学系を構成する複数のレンズ群のそれぞれを保持し、フォーカシングやズーミングのために光軸に沿う方向への進退移動が可能となるように構成したレンズ保持枠等がある。
【０００３】
このような構成からなる従来のレンズ鏡筒において、光学性能を維持するために、例えば各レンズ群の光軸中心の偏芯を調整して光軸を略一致させるための偏芯調整機構等が、例えば特開２００７−４１１４１号公報，特開２００１−２９６４６３号公報，特開２０００−２７５４８９号公報，特開２００８−１７０８８９号公報等によって、種々の提案がなされている。
【０００４】
上記特開２００７−４１１４１号公報によって開示されているレンズ鏡筒は、弾性部材で構成され径方向に突出する突起部を備えたレンズ保持具によってレンズを固定保持し、このレンズ保持具の突起部を別の保持枠に係合することで保持するように構成している。これにより、レンズ保持具は弾性力により保持枠に固定され、突起部を押圧することで、レンズ保持具の位置調整を行い得る構成となっている。
【０００５】
上記特開２００１−２９６４６３号公報によって開示されているレンズ鏡筒は、レンズを固定保持したレンズ保持枠に、光軸方向に突出する二箇所の支持部を形成し、このレンズ保持枠を支持部において基準枠に対して当接させる。このときレンズ保持枠と基準枠はガタを有する嵌合としているので、レンズ保持枠は、光軸に対してチルト（傾き）方向とシフト方向に所定量だけ移動可能となる。したがって、レンズ保持枠を、移動可能領域内でチルト（傾き）方向，シフト方向に移動させて偏芯調整を行い得る構成となっている。
【０００６】
上記特開２０００−２７５４８９号公報によって開示されているレンズ鏡筒は、調整ネジを回転させることによってレンズを固定保持したレンズ枠を移動させ、これによりレンズ枠の偏芯調整を行い得る構成となっている。
【０００７】
上記特開２００８−１７０８８９号公報によって開示されているレンズ鏡筒は、
レンズ枠と、このレンズ枠の外周面に対向し光軸方向に突出して互いに直交する対向面を有するフランジ片を備えた保持枠と、レンズ枠の外周面と保持枠のフランジ片との間に挟持される保持板と、保持板上に設ける調整板と、保持板に対し光軸を挟んで対向する位置に設けられレンズ枠を外周面側から保持板方向に付勢する板バネを有して構成され、厚みの異なる調整板を入れ換えることで光軸に直交する方向の偏芯調整を行い得るように構成している。
【先行技術文献】
【特許文献】
【０００８】
【特許文献１】特開２００７−４１１４１号公報
【特許文献２】特開２００１−２９６４６３号公報
【特許文献３】特開２０００−２７５４８９号公報
【特許文献４】特開２００８−１７０８８９号公報
【発明の概要】
【発明が解決しようとする課題】
【０００９】
ところが、上記特開２００７−４１１４１号公報に開示されている手段は、レンズ保持具は弾性力によって保持枠に固定し、位置調整を行った後に接着固定するようにしているので、位置調整後、接着固定前の時点でレンズ枠の位置が動く可能性があり調整位置に誤差が発生する可能性があるという問題点がある。
【００１０】
また、上記特開２００１−２９６４６３号公報に開示されている手段は、位置調整を行った後、その位置で接着固定をするまでの間にレンズ枠を確実に固定するための手段が無く、調整位置に誤差が生じてしまう可能性があるという問題点がある。
【００１１】
そして、上記特開２０００−２７５４８９号公報に開示されている手段は、調整板の入れ換えによってレンズ枠の位置調整を行う構成であるので、外部から調整作業を行うことが困難であるという問題点がある。
【００１２】
さらに、上記特開２００８−１７０８８９号公報に開示されている手段は、板バネの付勢力によって一方の枠部材が他方の枠部材に対して常に付勢されているので、二つの枠部材の相対的な位置関係が確実に維持される構成としいるが、部品点数が多く、機構が複雑化する傾向がある。また、調整後の枠部材の固定手段としてビス止めを行うようにしていることから、締結固定時に若干の位置ズレが生じる可能性があるという問題点がある。
【００１３】
本発明は、上述した点に鑑みてなされたものであって、その目的とするところは、レンズを保持するレンズ保持枠と、このレンズ保持枠を保持する枠部材との間の偏芯調整を行うのに際し、枠部材を変形させることなく簡単な構成で確実かつ高精度に芯調整を行ってレンズ保持枠を確実に固定することのできる機構を有するレンズ鏡筒を提供することである。
【課題を解決するための手段】
【００１４】
上記目的を達成するために、本発明の一態様のレンズ鏡筒は、レンズの芯調整可能なレンズ鏡筒において、芯調整されるレンズと、外周面を有し上記レンズを保持する第１の保持枠と、上記外周面と対向する対向面を有し上記第１の保持枠を光軸と直交する方向に変位可能に保持する第２の保持枠と、上記第１の保持枠を上記第２の保持枠に対し光軸と直交する方向に変位させたときにその変位位置に上記第１の保持枠を維持させるため上記外周面と上記対向面との間に脱着可能に配置される調整部材と、上記第２の保持枠に装着され上記第２の保持枠に上記第１の保持枠を光軸方向に押圧し上記変位位置を維持する第１の押圧部材と、光軸と直交する方向に上記第１の保持枠を上記対向面側に押圧する第２の押圧部材とを具備する。
【発明の効果】
【００１５】
本発明によれば、レンズを保持するレンズ保持枠と、このレンズ保持枠を保持する枠部材との間の偏芯調整を行うのに際し、枠部材を変形させることなく簡単な構成で確実かつ高精度に芯調整を行ってレンズ保持枠を確実に固定することのできる機構を有するレンズ鏡筒を提供することができる。
【図面の簡単な説明】
【００１６】
【図１】本発明の一実施形態のレンズ鏡筒の光軸に沿う面における縦断面図
【図２】図１のレンズ鏡筒における一部の構成ユニット（フォーカスレンズ保持枠と移動筒及びフォーカス駆動ユニット）を取り出して分解して示す要部分解斜視図
【図３】図２に示す構成ユニットを同図矢印［３］方向より見た場合において、フォーカスレンズ保持枠を分解した状態と、移動筒ほかの構成部材が組み立てられた状態を合わせて示す斜視図
【図４】図３に示す構成ユニットのうちフォーカスレンズ保持枠部分を組み立てた状態を示す外観斜視図
【図５】図４の矢印［５］方向から見た正面図
【図６】図５の［６］−［６］線に沿う断面図
【図７】図５の状態の構成ユニットから第１の押圧部材を取り外して内部構成を示す図
【図８】図７の［８］−［８］線に沿う断面図
【発明を実施するための形態】
【００１７】
以下、図示の実施の形態によって本発明を説明する。本発明の一実施形態は、例えば光学レンズにより形成される光学像を固体撮像素子を用いて光電変換し、これによって得られる画像信号を静止画像又は動画像を表わすデジタル画像データに変換し、こうして生成されたデジタルデータを記録媒体に記録し、また記録媒体に記録されたデジタル画像データに基いて静止画像又は動画像を表示装置に再生表示し得るように構成されるカメラ等の撮影装置（以下、単にカメラという）に適用されるレンズ鏡筒を例に挙げて示すものである。
【００１８】
また、本実施形態においては、レンズ鏡筒における撮影光学系の光軸を符号Ｏで表している。そして、この光軸Ｏに沿う方向において、レンズ鏡筒の前面に対向する被写体のある側を前方というものとし、レンズ鏡筒の背面側に配置される撮像素子の受光面（結像面）のある側を後方というものとする。
【００１９】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２０】
図１は、本発明の一実施形態のレンズ鏡筒の光軸に沿う面における縦断面図である。図２は、図１のレンズ鏡筒における一部の構成ユニット（フォーカスレンズ保持枠と移動筒及びフォーカス駆動ユニット）を取り出して分解して示す要部分解斜視図である。図３は、図２に示す構成ユニットを同図矢印［３］方向より見た場合において、フォーカスレンズ保持枠を分解した状態と、移動筒ほかの構成部材が組み立てられた状態を合わせて示す斜視図である。図４は、図３に示す構成ユニットのうちフォーカスレンズ保持枠部分を組み立てた状態を示す外観斜視図である。図５は、図４の矢印［５］方向から見た正面図である。図６は、図５の［６］−［６］線に沿う断面図である。図７は、図５の状態の構成ユニットから３群枠オサエイタ（第１の押圧部材）を取り外して内部構成を示す図である。図８は、図７の［８］−［８］線に沿う断面図である。
【００２１】
まず、本実施形態のレンズ鏡筒全体の概略構成を、主に図１を用いて以下に説明する。本実施形態のレンズ鏡筒１は、非撮影時の沈胴状態と、撮影時の状態において短焦点位置と長焦点位置との間で変位可能に構成されたいわゆる沈胴式のズームレンズ鏡筒である。図１に示す状態は、撮影時の状態を示している。
【００２２】
図１に示すように、本レンズ鏡筒１は、複数のレンズ群（１１，１２（１２ａ，１２ｂ），１３，１４）からなる撮影光学系と、これら複数のレンズ群のそれぞれを保持する複数のレンズ群保持枠（２１，２２，４４，２３，２４）と、これら複数のレンズ群保持枠のうちの一部のレンズ群保持枠（２３，２１）を保持する枠部材（２５，２６）と、上記複数のレンズ群保持枠のうちの一部（２２，４４）及び上記枠部材（２５，２６）を光軸Ｏに沿う方向に移動させ若しくは回転を規制する等のために設けられ上記複数のレンズ群保持枠のうちの可動枠を駆動させるための複数の筒状部材（２７，２８，２９）と、駆動源である絞りモータ４１を含んで構成される光量調整装置（絞り装置）であるアパーチャ機構部３５と、ズーミングやフォーカシング等の操作を行うための操作部材（３３，３４）と、これらの操作部材を支持すると共に上記各種の構成部材を内挿する固定筒３０と、当該レンズ鏡筒１をカメラ本体（不図示）に装着するための連結部材であるレンズマウント３１と、上記固定筒３０の外周の一部を覆う外装部材であるカバー環３２等の構成部材によって主に構成されている。
【００２３】
本実施形態のレンズ鏡筒１における撮影光学系は、４つのレンズ群、即ち第１レンズ群１１，第２レンズ群１２（１２ａ，１２ｂ），第３レンズ群１３，第４レンズ群１４からなり、これら複数のレンズ群が光軸Ｏに沿って前方から順に各光軸を揃えて配設されている。そして、これら各レンズ群は、それぞれが各対応する保持枠によって保持されている。即ち、第１レンズ群１１は第１レンズ群保持枠２１によって、第２レンズ群１２（１２ａ，１２ｂ）は第２レンズ群保持枠２２及び羽根押さえ４４（詳細構成は後述する）によって、第３レンズ群１３は第３レンズ群保持枠２３によって、第４レンズ群１４は第４レンズ群保持枠２４によってそれぞれ保持されている。
【００２４】
詳述すると、第１レンズ群保持枠２１に保持される第１レンズ群１１は、ズーム筒２６の前端部に固定支持されており、ズーミングに寄与するレンズ群である。ズーム筒２６は、上記第１レンズ群保持枠２１を固定保持すると共に、不図示のズーム駆動ユニットからの駆動力を受けて光軸Ｏに沿う方向に進退移動するように構成されている。
【００２５】
第２レンズ群１２もズーミングに寄与するレンズ群である。この第２レンズ群１２は、アパーチャ機構部３５の絞り羽根４７を挟んで光軸Ｏ方向の前後に設けられる第２レンズ群Ａ１２ａ及び第２レンズ群Ｂ１２ｂによって構成されている。ここで、第２レンズ群Ａ１２ａは、アパーチャ機構部３５の羽根押さえ４４によって固定保持されている。また、第２レンズ群Ｂ１２ｂは、第２レンズ群保持枠２２によって固定保持されている。そして、アパーチャ機構部３５と第２レンズ群保持枠２２とは一体に構成されている。
【００２６】
第２レンズ群保持枠２２は、ズーム駆動ユニットからの駆動力を受けて回転するカム筒２９とのカム結合によって、アパーチャ機構部３５と一体に光軸Ｏに沿う方向に進退移動するように構成されている。なお、上記第２レンズ群保持枠２２及びアパーチャ機構部３５からなる一体ユニット部の詳細構成については、本発明と直接的に関連しない部分であるので、その詳述は省略する。
【００２７】
第３レンズ群１３は、焦点調節動作に寄与するフォーカスレンズ群である。第３レンズ群１３は、上述したように、第３レンズ群保持枠２３によって固定保持されている。この第３レンズ群保持枠２３は、枠部材２５に対し一体となるように固定保持されている。そして、第３レンズ群保持枠２３と枠部材２５とが一体に構成された一体枠ユニットは、フォーカス駆動ユニット６０（図１では不図示。図２等参照）からの駆動力を受けて光軸Ｏに沿う方向に進退移動する。したがって、第３レンズ群保持枠２３と枠部材２５とからなる一体枠ユニットは、フォーカスレンズ保持枠５０として機能する。このフォーカスレンズ保持枠５０の詳細構成については後述する（図２等参照）。
【００２８】
第４レンズ群１４は、本レンズ鏡筒１における最後端位置に配置される固定レンズである。この第４レンズ群１４を保持する第４レンズ群保持枠２４は、レンズマウント３１の略中央部分に固定保持されている。
【００２９】
固定筒３０は、本レンズ鏡筒１の基本構成部材であって、略円筒形状に形成され、内部に各種の構成ユニットを内包している。例えば、固定筒３０の内部には、本レンズ鏡筒１の各構成部材、即ち撮影光学系やその保持枠部材及び各種の筒状部材（ガイド筒２７，移動筒２８，カム筒２９等）や各種の駆動ユニット等が内挿されている。
【００３０】
また、固定筒３０の外周面上には、当該レンズ鏡筒１における円環状操作部材であるズーム環３３及び距離環３４が光軸Ｏ周りに回動自在に配設されている。ズーム環３３は、ズーミング操作を手動にて行うための操作部材である。距離環３４は、フォーカシング操作を手動にて行うための操作部材である。
【００３１】
さらに、この固定筒３０の外周面上において、上記ズーム環３３及び距離環３４が配設されていない領域であって、当該レンズ鏡筒１の後端寄りの部位には、固定筒３０の外周面上における一部を覆い隠し、外装部材の一部を構成するカバー環３２が固定配置されている。
【００３２】
そして、上記固定筒３０の後端面には、レンズマウント３１が例えば複数のビス等を用いて締結固定されている。このレンズマウント３１は、当該レンズ鏡筒１を不図示のカメラ本体に対して、所定の締結手段、例えばバヨネット結合等によって着脱し得るように構成した連結部材である。レンズマウント３１は、金属部材若しくは樹脂部材等によって略円環形状に形成されている。
【００３３】
当該レンズ鏡筒１は、上述したような各種構成部材のほかにも、具体的な図示や詳細な説明は省略するが、例えばズーム駆動用やフォーカス駆動用の各駆動源（フォーカスモータ６５；図２等参照）や、それらに関連する各種の電気部品等と、上記各駆動源からの駆動力を伝達する駆動力伝達機構等を含んで構成されるズーム駆動ユニット及びフォーカス駆動ユニット６０（図２等参照）等の各構成ユニットや、例えばレンズ側制御部等のその他各種の電気部品等を内部に有して構成されている。
【００３４】
なお、本実施形態のレンズ鏡筒１を構成する各レンズ群保持枠（２１，２２（４４），２３，２４）及びこれらレンズ保持枠のうちの一部を保持する枠部材（２５，２６）や、各レンズ群保持枠のうちの可動枠を駆動するための駆動用筒状部材（ガイド筒２７，移動筒２８，カム筒２９等）等の作用については、従来一般の沈胴式ズームレンズ鏡筒と同様であるものとして、その詳細説明は省略する。
【００３５】
このように構成された本実施形態のレンズ鏡筒１において、第３レンズ群保持枠２３と枠部材２５とからなる一体枠ユニットとしてのフォーカスレンズ保持枠５０と、フォーカス駆動ユニット６０と、移動筒２８等からなるユニット部の詳細構成を、図２〜図８を用いて以下に詳述する。
【００３６】
図２等に示すように、移動筒２８は、カム筒２９に内挿されて、同カム筒２９との間でカム結合している筒状部材である。移動筒２８は、カム筒２９が回転すると光軸Ｏに沿う方向に進退移動するように構成されている。
【００３７】
移動筒２８の内部にはフォーカス駆動ユニット６０が固設されている。上記フォーカス駆動ユニット６０は、フォーカスレンズ保持枠５０を光軸Ｏに沿う方向において進退移動させるための駆動機構を備えた構成ユニットである。このフォーカス駆動ユニット６０は、フォーカスモータ６５と、リードスクリュー６１と、ナット６２と、ブラケット６３と、フレキシブルプリント基板６４等の各種構成部材によって構成されている。
【００３８】
フォーカスモータ６５の回転駆動軸にはリードスクリュー６１が形成されている。このリードスクリュー６１にはナット６２が螺合している。このナット６２は、ブラケット６３により回転規制されつつ、リードスクリュー６１の回転に伴って、同リードスクリュー６１の軸方向に進退移動するように設けられている。
【００３９】
上記フォーカスモータ６５には、板状部材を曲げ加工によって形成したブラケット６３の一端が固設されている。また、ブラケット６３の先端には、上記リードスクリュー６１の先端が回転自在に軸支されている。上記ブラケット６３は、上記移動筒２８の内側固定部に対して固設されている。詳しくは、同ブラケット６３は、フォーカスモータ６５を保持した状態で、リードスクリュー６１が光軸Ｏに平行となるように、移動筒２８内に固設されている。そして、ナット６２には、枠部材２５のナット押圧部２５ｃが当接している。ここで、移動筒２８と枠部材２５との間には付勢バネ６８が張架されていて、ナット６２と上記ナット押圧部２５ｃとの当接状態が常に維持されている。
【００４０】
したがって、上記フォーカスモータ６５が所定の時（フォーカシング時）に駆動されてリードスクリュー６１が回転すると、これに伴ってナット６２は、リードスクリュー６１上を光軸Ｏに沿う方向に移動する。これにより、ナット６２は、枠部材２５のナット押圧部２５ｃを押圧して、同枠部材２５を同方向に移動させる。若しくは、ナット６２の光軸Ｏ方向の移動に伴って、枠部材２５の押圧部２５ｃは付勢バネ６８の付勢力によってナット６２との当接状態を維持しながら、ナット６２と同方向に移動する。なお、フォーカス駆動ユニット６０の基本的な構成及び作用は、従来一般に実用化されているものと同様であるものとして、その詳細説明は省略する。
【００４１】
また、移動筒２８の内部には上記フォーカスレンズ保持枠５０が光軸Ｏに沿う方向に移動自在となるように配設されている。上記フォーカスレンズ保持枠５０は、上述したように第３レンズ群１３を保持する第３レンズ群保持枠２３と、枠部材２５とが一体構成された一体枠ユニットである。
【００４２】
即ち、フォーカスレンズ保持枠５０は、枠部材２５と、第３レンズ群１３と、第３レンズ群保持枠２３と、３群枠オサエバネ５１と、３群枠オサエイタ５２と、３群レンズ絞りシート部材５３と、偏芯調整板５６と、位置検出センサ７０等によって構成される。
【００４３】
第３レンズ群保持枠２３は、略中央部分に開口を有し略円環形状に形成される枠部材である。第３レンズ群保持枠２３の開口部分には、第３レンズ群１３が固定保持されている。第３レンズ群保持枠２３の前面側には、３群レンズ絞りシート部材５３が配設されている。３群レンズ絞りシート部材５３は、略中央部分に略円形状の開口を有し全体が略円環形状に形成されたシート状部材である。この３群絞りシート部材５３は、上記第３レンズ群１３を透過する光束のうち外縁部分への入射光を遮蔽する光束絞り部材として設けられている。
【００４４】
第３レンズ群保持枠２３は、枠部材２５に対して保持されている。ここで、３群枠オサエバネ５１と、３群枠オサエイタ５２と、偏芯調整板５６とは、枠部材２５に対して第３レンズ群保持枠２３の芯調整を行なうと共に、上記第３レンズ群保持枠２３の位置を保持する芯調整保持手段である。本レンズ鏡筒１は、この芯調整保持手段を具備することによって第３レンズ群保持枠２３（に保持される第３レンズ群１３）の芯調整が可能となっている。なお、上記芯調整保持手段の詳細構成については後述する。
【００４５】
このように構成された枠部材２５は、フォーカシング時に上記フォーカス駆動ユニット６０の駆動力を受けて光軸Ｏに沿う方向に進退移動する枠部材である。そのために、枠部材２５は、上記移動筒２８の内部において、吊り軸６６によって光軸Ｏに沿う方向に移動自在となるように配設されている。吊り軸６６は、その両端が上記移動筒２８の内部の固定部において光軸Ｏと平行に軸支されている。この吊り軸６６は、枠部材２５の外周面上に設けられたスリーブ２５ａに挿通されている。これによって、枠部材２５は、吊り軸６６に沿って光軸Ｏに沿う方向に移動し得るように構成されている。
【００４６】
一方、回転規制軸６７は、一端が上記移動筒２８の内部の固定部に、他端が上記移動筒２８の内部の固定部２８ａに固定保持される軸支持部材６９によって、光軸Ｏと平行に軸支されている。この回転規制軸６７は、枠部材２５の外周面上において上記スリーブ２５ａの配設位置に対して光軸Ｏを挟んで対向する位置に形成された回転規制孔２５ｂに挿通されている。この回転規制軸６７によって、枠部材２５は上記吊り軸６６を回転中心とする回転が規制されている。
【００４７】
また、枠部材２５の外周面上には、突起部２５ｄ（図３参照）が形成されている。これに対応して、移動筒２８の内部には、上記枠部材２５の光軸Ｏに沿う方向における位置を検出する位置検出センサ７０が配設されている。この位置検出センサ７０は、上記枠部材２５が所定の時（フォーカシング時）に光軸Ｏ方向に移動するとき、上記突起部２５ｄが通過する経路上に配設されている。
【００４８】
次に、本レンズ鏡筒１において、枠部材２５（第２の保持枠）に対する第３レンズ群保持枠２３（第１の保持枠）に（保持される第３レンズ群１３）の芯調整保持手段について、さらに詳述する。
【００４９】
上述したように、本レンズ鏡筒１は、上記芯調整保持手段を具備していることによってレンズの芯調整が可能となっている。本実施形態において、芯調整されるレンズは第３レンズ群１３である。上記芯調整されるレンズである第３レンズ群１３は、外周面を有する第１の保持枠である第３レンズ群保持枠２３によって保持されている。そして、上記第３レンズ群保持枠２３は、第２の保持枠である枠部材２５によって保持されている。つまり、上記枠部材２５は、上記第３レンズ群保持枠２３の上記外周面と対向する対向面を有し、上記第３レンズ群保持枠２３（第１の保持枠）を光軸Ｏと直交する方向に変位可能に保持する第２の保持枠である。
【００５０】
詳述すると、本実施形態のレンズ鏡筒１において、枠部材２５に対する第３レンズ群保持枠２３の芯調整保持手段は、上述したように、３群枠オサエバネ５１と、３群枠オサエイタ５２と、偏芯調整板５６とによって構成されている。
【００５１】
３群枠オサエバネ５１は、弾性を有し、略円弧形状に曲げられ形成された薄板部材からなる板バネ部材によって形成されている。また、上記３群枠オサエバネ５１の両端部には、円弧の外方に向けて曲げ加工された曲折部５１ａが形成されている。なお、上記３群枠オサエバネ５１の円弧形状は、例えば上記第３レンズ群保持枠２３の外周面を形成している円周の一部の円弧形状と略同形状となるように設定されているのが望ましい。
【００５２】
上記３群枠オサエバネ５１は、第３レンズ群保持枠２３を所定の位置に載置した状態の枠部材２５において、同枠部材２５の一部と上記第３レンズ群保持枠２３の一部との間の所定の位置に配設されている。
【００５３】
具体的には、上記３群枠オサエバネ５１は、枠部材２５の外周縁部近傍の一部において略円弧形状で光軸方向に延びた壁状に形成されたオサエバネ載置部２５ｇの内周面に沿うように配置されている（図７等参照）。上記オサエバネ載置部２５ｇの両端部分には、３群枠オサエバネ５１の曲折部５１ａが係止される形状の引掛部２５ｆが形成されている。そして、３群枠オサエバネ５１の両端の各曲折部５１ａはオサエバネ載置部２５ｇの各引掛部２５ｆに引掛けられている。この構成により、３群枠オサエバネ５１は、両端が上記オサエバネ載置部２５ｇから容易に脱落しないように、かつ円弧状部の略中央部分は、当該枠部材２５の径方向に変位可能な状態で、同部位に固設されている。
【００５４】
上記３群枠オサエバネ５１がオサエバネ載置部２５ｇに配置された状態にあるとき、上記３群枠オサエバネ５１の円弧状部の略中央部分の内周面は、第３レンズ群保持枠２３の外周面に対向している。ここで、上記３群枠オサエバネ５１の円弧状内周面が対向する第３レンズ群保持枠２３の外周面上の一部には、同第３レンズ群保持枠２３の径方向外方に向けて突設される凸部２３ａが形成されている（図４参照）。そして、この凸部２３ａに対して上記３群枠オサエバネ５１の円弧状内周面の一部が点接触にて当接している。
【００５５】
また、枠部材２５には、上記オサエバネ載置部２５ｇに対して光軸Ｏを挟んで対向する枠部材２５の対向面側の所定部位に、上記３群枠オサエバネ５１によって付勢される第３レンズ群保持枠２３の外周面の他の一部を受けるための受け部となる当接部２５ｈが複数（本実施形態では二箇所；一対）形成されている。この一対の当接部２５ｈは、図７に示すように、３群枠オサエバネ５１の付勢方向（矢印Ｆ方向）に沿う直線、即ち凸部２３ａと光軸中心Ｏを結ぶ直線Ａを挟んで対向する二つの領域のそれぞれにおいて、上記直線Ａに対して鋭角で交差し光軸Ｏとを結ぶ直線上の所定の部位に形成されている。
【００５６】
偏芯調整板５６は、３群枠オサエバネ５１によって上記第３レンズ群保持枠２３（第１の保持枠）を上記枠部材２５（第２の保持枠）に対して光軸Ｏと直交する方向に変位させたときに、上記第３レンズ群保持枠２３（第１の保持枠）を光軸Ｏに直交する面内における所定の変位位置に維持させるために設けられる薄板状の位置調整部材である。この偏芯調整板５６は、上記第３レンズ群保持枠２３の外周面と上記一対の当接部２５ｈ（枠部材２５の対向面）の間のそれぞれに脱着可能に配置されている。
【００５７】
つまり、上記偏芯調整板５６は、上記一対の当接部２５ｈに対応させて、一対設けられていて、一方の偏芯調整板５６に対して他方の偏芯調整板５６は、光軸Ｏと直交する方向において上記一方の偏芯調整板５６と光軸中心Ｏとを結ぶ直線に対し交差する直線上に配置されている。そして、上記偏芯調整板５６は、図４に示すフォーカスレンズ保持枠５０を組み立てた状態（例えば３群枠オサエイタ５２（第１の押圧部材）を上記枠部材２５（第２の保持枠）に装着した状態；後述する）においても脱着可能となっている。なお、偏芯調整板５６は、製造工程において、板厚が異なる複数種類のものが用意される。そして、芯調整を行う際には、それら複数種類の偏芯調整板５６のうちの適切なものを適宜入れ換えて使用することになる。
【００５８】
３群枠オサエイタ５２は、弾性を有する薄板状部材を用いて形成されている。３群枠オサエイタ５２は、図３等に示すように、略中央部分に略円形状の開口５２ｃと該開口５２ｃの外周縁部に沿って円周方向に延びる複数（本実施形態では３本）の周状腕部５２ｂとが形成された円環状部と、この円環状部の外周縁部から径方向外方に向けて延出する複数（本実施形態では３本）の腕部５２ａとを有して形成されている。上記複数の腕部５２ａは、先端が略直角に折り曲げた形態の光軸と略平行な爪部が形成されている。この爪部は、図４等に示すように、上記枠部材２５の外周面上において複数（本実施形態では３箇所）形成された係止突起部２５ｅに係止されるように孔５２ｄが穿設され形成されている。上記係止突起部２５ｅは、断面が略三角形状に形成され、その頂部が外方に向けて突出するように形成されている。この構成により、３群枠オサエイタ５２の腕部５２ａの爪部を、上記枠部材２５の係止突起部２５ｅに対して光軸Ｏ方向より押圧すると、上記爪部は自身の弾性力に抗して上記係止突起部２５ｅの斜面に沿って移動し、やがて爪部は係止突起部２５ｅを乗り越えて、孔５２ｄと係止突起部２５ｅとが係合し、これを係止する状態になる。これにより、上記３群枠オサエイタ５２は、上記枠部材２５に対して光軸Ｏに沿う方向に容易に引き抜けない装着状態となる。こうして、上記枠部材２５の各係止突起部２５ｅが上記各爪部に係止されることによって、上記枠部材２５に対して３群枠オサエイタ５２を装着し固設することができるようになっている。なお、この状態においても、上記３群枠オサエイタ５２の腕部５２ａの爪部を、その弾性力に抗して外方に引き上げれば、容易に係止突起部２５ｅとの係止状態を解除できる。したがって、３群枠オサエイタ５２と枠部材２５との装着状態を解除することは容易にできる。
【００５９】
一方、上記周状腕部５２ｂは、上記３群枠オサエイタ５２の円環状部から片持ち梁状に円周方向に延出し、光軸Ｏに沿う方向に弾性を有するように形成されている。そして、各周状腕部５２ｂの先端（自由端）部において、後述の当接面２５ｍ（図７参照）に対向し当接する部位は、略球状の突起が形成されている。なお、上記周状腕部５２ｂは、３群枠オサエイタ５２の円環状部において円周方向に略等間隔に配置されている。
【００６０】
これに対応して、枠部材２５には、３群枠オサエイタ５２が枠部材２５に装着されたときに、上記三本の各周状腕部５２ｂの先端（自由端）部が対向する各部位に当接面２５ｍ（三箇所）が形成されている。この当接面２５ｍは、光軸Ｏに直交する平面である。
【００６１】
このような構成により、上記３群枠オサエイタ５２が上述したように枠部材２５に対して装着状態とされたときには、各周状腕部５２ｂの先端（自由端）部の球状突起が、枠部材２５の各当接面２５ｍに対し点接触にて当接して、枠部材２５を光軸Ｏに沿う方向に押圧している。
【００６２】
このような構成により、３群枠オサエイタ５２は、上記枠部材２５（第２の保持枠）に装着されて、同枠部材２５に対して上記第３レンズ群保持枠２３（第１の保持枠）を光軸Ｏに沿う方向に押圧し、当該第３レンズ群保持枠２３を所定の位置で保持する第１の押圧部材として機能している。
【００６３】
また、３群枠オサエバネ５１は、光軸Ｏに直交する方向（図７に示す矢印Ｆ方向）に上記第３レンズ群保持枠２３（第１の保持枠）を枠部材２５の対向面側に向けて押圧する第２の押圧部材として機能している。
【００６４】
このように構成された本実施形態のレンズ鏡筒１において、フォーカスレンズ保持枠５０における二つの枠部材、即ち枠部材２５と第３レンズ群保持枠２３との芯調整は、光軸Ｏに直交する方向の位置の調整である。その芯調整は、次のようにして行なわれる。
【００６５】
フォーカスレンズ保持枠５０が組み立てられた状態（図４〜図６に示す状態）においては、３群枠オサエイタ５２（第１の押圧部材）は、枠部材２５（第２の保持枠）に装着されることによって、第３レンズ群保持枠２３（第１の保持枠）を枠部材２５（第２の保持枠）に対して光軸Ｏ方向に押圧し、上記第３レンズ群保持枠２３（第１の保持枠）の光軸Ｏ方向における位置を維持している。
【００６６】
また、同状態においては、３群枠オサエバネ５１（第２の押圧部材）は、上記第３レンズ群保持枠２３（第１の保持枠）を枠部材２５（第２の保持枠）の対向面側に向けて光軸Ｏに直交する方向（図７の矢印Ｆ方向）に押圧し、上記第３レンズ群保持枠２３（第１の保持枠）の光軸Ｏに直交する方向における位置を維持している。この場合において、第３レンズ群保持枠２３（第１の保持枠）の外周面と枠部材２５（第２の保持枠）の対向面に設けられる一対の当接部２５ｈとの間に一対の偏芯調整板５６が脱着可能に配置されている。この一対の偏芯調整板５６には、板厚が異なる複数種類のものが用意されている。したがって、上記複数種類の偏芯調整板５６のうちの適切なものを選択して、適宜入れ換えることによって芯調整が行なわれる。
【００６７】
そのために、上記一対の偏芯調整板５６は、フォーカスレンズ保持枠５０を含み、第４レンズ群保持枠２４を外した本レンズ鏡筒１全体が組み立てられた状態（即ち、３群枠オサエイタ５２が枠部材２５に装着された状態）であっても、容易に脱着可能となっている。なお、本レンズ鏡筒１は芯調整のため、一対の偏芯調整板５６を装着した後に第４レンズ群１４を保持した第４レンズ群保持枠２４を装着し、該調整の結果を確認する。もし、該調整が足りなければ、再度、必要に応じて偏芯調整板５６を交換する。もちろん、第４レンズ群１４を介さなくともよい場合もあり得るので、その場合は、第４レンズ群保持枠２４をいちいち付けたり外したりする必要はない。
【００６８】
なお、上述のようにして芯調整を行って、第３レンズ群１３（第３レンズ群保持枠２３）の位置が決まったら、その状態を固定するために、偏芯調整板５６の近傍において枠部材２５と第３レンズ群保持枠２３とを接着剤等を用いて固定する。
【００６９】
以上説明したように上記第１の実施形態のレンズ鏡筒によれば、第４レンズ群保持枠２４を外して組み立てられたレンズ鏡筒１において、第３レンズ群保持枠２３（第１の保持枠）を、枠部材２５（第２の保持枠）に対して光軸Ｏと直交する方向に変位させたときの所定の変位位置に第３レンズ群保持枠２３（第１の保持枠）を保持させるために、光軸Ｏと直交する方向において第３レンズ群保持枠２３（第１の保持枠）を枠部材２５（第２の保持枠）の対向面側へと３群枠オサエバネ５１（第２の押圧部材）が押圧し、光軸Ｏ方向において第３レンズ群保持枠２３（第１の保持枠）を枠部材２５（第２の保持枠）の側へと３群枠オサエイタ５２（第１の押圧部材）が押圧する。この構成において、第３レンズ群保持枠２３（第１の保持枠）の外周面と枠部材２５（第２の保持枠）の対向面（当接部２５ｈ）との間にレンズ鏡筒外部より脱着可能に、即ち交換可能に偏芯調整板５６（調整部材）を設け、この偏芯調整板５６（調整部材）の板厚種類によって、芯調整を行うように構成している。
【００７０】
また、この構成において、第３レンズ群保持枠２３（第１の保持枠）を枠部材２５（第２の保持枠）に装着し、フォーカスレンズ保持枠５０を組み立てた状態とした場合にあっても、偏芯調整板５６の脱着可能となるように構成したので、治具としての基準となるレンズ群に対してもレンズ（第３レンズ群１３）の芯調整を容易に行うことができる。
【００７１】
また、上記偏芯調整板５６（調整部材）を一対で構成し、一方の偏芯調整板５６（調整部材）に対して、他方の偏芯調整板５６（調整部材）を、光軸Ｏと直交する方向において、一方の偏芯調整板５６と光軸Ｏ中心とを結ぶ直線に対し交差する直線上に配置したので、光軸Ｏと直交する面内において直交する二方向の位置調整を行うことができ、より高精度な調整を行うことができる。
【００７２】
なお、上記一実施形態においては、本発明を適用する枠部材として、フォーカスレンズ保持枠５０を構成する二つの枠部材である第３レンズ群保持枠２３と枠部材２５とを例に挙げて説明しているが、本発明を適用し得る形態は、この例に限られることはない。
【００７３】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００７４】
本発明は、レンズ鏡筒を備えた電子機器、例えばデジタルカメラやビデオカメラ等の撮影装置のほか、撮影機能を備えた他の形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器等、各種の撮影機能付き電子機器に対し広く適用することができる。
【００７５】
また、光学像を結像させるレンズ鏡筒を備えた観察用装置、例えば望遠鏡，双眼鏡，顕微鏡等に対しても同様に適用することができる。
【符号の説明】
【００７６】
１……レンズ鏡筒，
１１……第１レンズ群，１２……第２レンズ群，１２ａ……第２レンズ群Ａ，１２ｂ……第２レンズ群Ｂ，１３……第３レンズ群，１４……第４レンズ群，
２１……第１レンズ群保持枠，２２……第２レンズ群保持枠，２３……第３レンズ群保持枠，２３ａ……凸部，２４……第４レンズ群保持枠，
２５……枠部材，２５ａ……スリーブ，２５ｂ……回転規制孔，２５ｃ……ナット押圧部，２５ｄ……突起部，２５ｅ……係止突起部，２５ｆ……引掛部，２５ｇ……オサエバネ載置部，２５ｈ……当接部，２５ｍ……当接面，
２６……ズーム筒，２７……ガイド筒，２８……移動筒，２９……カム筒，３０……固定筒，
３１……レンズマウント，３２……カバー環，３３……ズーム環，３４……距離環，
３５……アパーチャ機構部，
４１……絞りモータ，４７……絞り羽根，
５０……フォーカスレンズ保持枠，
５１……３群枠オサエバネ，
５２……３群枠オサエイタ，５２ａ……腕部，５２ｂ……周状腕部，５２ｃ……開口，
５３……３群レンズ絞りシート部材，
５６……偏芯調整板，
６０……フォーカス駆動ユニット，６１……リードスクリュー，６２……ナット，６３……ブラケット，６４……フレキシブルプリント基板，６５……フォーカスモータ，６６……吊り軸，６７……回転規制軸，６８……付勢バネ，６９……軸支持部材，７０……位置検出センサ，
【図１】
2015102598.tif 000003
【図２】
2015102598.tif 000004
【図３】
2015102598.tif 000005
【図４】
2015102598.tif 000006
【図５】
2015102598.tif 000007
【図６】
2015102598.tif 000008
【図７】
2015102598.tif 000009
【図８】
2015102598.tif 000010